(57)【特許請求の範囲】
【請求項１】
再生しているオーディオ記録媒体に複数記録されたオーディオ毎のタイトルを表す個別タイトル情報及びオーディオ毎のアーティストを表す個別アーティスト情報、並びに前記複数のオーディオに対して共通のタイトルを表す共通タイトル情報及び共通のアーティストを表す共通アーティスト情報の各情報を読み込む情報データ読込部と、
前記情報データ読込部の各情報を選択して表示装置に出力する表示情報選択出力部とを備え、
前記表示情報選択出力部では、前記個別アーティスト情報が前記共通アーティスト情報と同一であるときには個別アーティスト情報を表示しないようにしたことを特徴とするオーディオ情報表示装置。
【請求項２】
再生しているオーディオ記録媒体に複数記録されたオーディオ毎のタイトルを表す個別タイトル情報及びオーディオ毎のアーティストを表す個別アーティスト情報、並びに前記複数のオーディオに対して共通のタイトルを表す共通タイトル情報及び共通のアーティストを表す共通アーティスト情報の各情報を読み込む情報データ読込部と、
前記情報データ読込部の各情報を選択して表示装置に出力する表示情報選択出力部とを備え、
前記表示情報選択出力部では、再生しているオーディオ記録媒体に前記共通のアーティスト情報が存在しないとき、直前に再生したオーディオの個別アーティスト情報と同一の個別アーティスト情報を表示しないようにしたことを特徴とするオーディオ情報表示装置。
【請求項３】
前記表示情報選択出力部では更に、前記個別アーティスト情報が前記共通アーティスト情報と同一であるときには個別アーティスト情報を表示しないようにしたことを特徴とする請求項２記載のオーディオ情報表示装置。
【請求項４】
再生しているオーディオ記録媒体に複数記録されたオーディオ毎のタイトルを表す個別タイトル情報及びオーディオ毎のアーティストを表す個別アーティスト情報、並びに前記複数のオーディオに対して共通のタイトルを表す共通タイトル情報及び共通のアーティストを表す共通アーティスト情報の各情報のうち複数の情報を読み込む情報データ読込部と、
前記情報データ読込部の各情報を選択して表示装置に出力する表示情報選択出力部と、
表示装置にオーディオ情報をスクロールして表示するスクロール制御部とを備え、
前記表示情報選択出力部では、スクロール回数が所定回数以上のときには、予め定めた特定の情報のみを表示することを特徴とするオーディオ情報表示装置。
【請求項５】
再生しているオーディオ記録媒体に複数記録されたオーディオ毎のタイトルを表す個別タイトル情報及びオーディオ毎のアーティストを表す個別アーティスト情報、並びに前記複数のオーディオに対して共通のタイトルを表す共通タイトル情報及び共通のアーティストを表す共通アーティスト情報の各情報のうち複数の情報を読み込む情報データ読込部と、
前記情報データ読込部の各情報を選択して表示装置に出力する表示情報選択出力部と
表示装置にオーディオ情報をスクロールして表示するスクロール制御部とを備え、
前記表示情報選択出力部では、利用者による表示切替操作入力が行われたときには、予め定めた特定の情報のみを表示することを特徴とするオーディオ情報表示装置。
【請求項６】
前記表示情報選択出力部では更に、スクロール回数が所定回数以上のときには、予め定めた特定の情報のみを表示することを特徴とする請求項５記載のオーディオ情報表示装置。
【請求項７】
前記オーディオ情報表示装置を車両に搭載したことを特徴とする請求項１乃至請求項６のいずれか１つに記載の車両用オーディオ情報表示装置。
【発明の詳細な説明】
【０００１】
【発明の属する技術分野】
本発明は、ＣＤ、ＭＤ、ＣＤ−Ｒ等の光ディスク、あるいは各種メモリの記録媒体に記録したオーディオデータを再生する際に、表示装置に対して現在再生している記録媒体のタイトル情報やアーティスト情報、或いは再生中の曲に関する情報等の各種再生情報を表示するためのオーディオ情報表示装置に関し、特に限られた表示部分に利用者に対してわかりやすい表示を行うことができるようにしたオーディオ情報表示装置に関する。
【０００２】
【従来の技術】
光ディスク記録技術の進歩により、予め曲が記録されているＣＤの普及から、自分の好みの曲を任意に記録することができるＭＤが普及し、更には自分の好みの曲を編集して記録しＣＤプレーヤで再生することができるようにしたＣＤ−Ｒも普及している。また、オーディオ記録媒体は更に大容量記録媒体のＤＶＤに及び、またデータ圧縮技術の進歩によりＭＰ３等によって圧縮した状態で大量の曲をＣＤ、ＤＶＤ或いはメモリ等に記録し、これを再生して利用することも行われるようになっている。
【０００３】
一方、カーオーディオを含む各種の車両搭載機器の分野においては、車両内という機器配置空間が限られているにもかかわらず、近年の車両搭載機器の技術進歩、利用者のニーズの増大によってカーナビゲーション装置、ＣＤプレーヤ、ＭＤプレーヤ、ラジオ受信機を含むヘッドユニット、更にはＤＶＤプレーヤ、これら各種記録媒体を多数収納するディスクチェンジャ等、多様な機器を多数搭載する必要性が増大している。
【０００４】
しかもこれらの機器は、できる限りコンソールボックス等の利用者に近い、扱いやすい位置に配置し、またその作動の状態を確認することができる位置に配置することが望まれる。そのため、限られたコンソールボックス部分にできるだけ多数、他種類の機器を効率良く配置する必要があり、車両搭載機器の開発に際しては、このような限られた空間にできる限りコンパクトに、しかも利用者にとって使用しやすい状態で搭載することが重要な課題となっている。
【０００５】
また、例えばＣＤにおいてはそのディスクに関する情報としてＣＤ−テキスト情報が、またＭＤにおいてはＭＤ−タイトル情報を記録することができ、それにより各ディスクに対してそのディスクの名前としてのタイトル情報とそのディスクのアーティストの情報を記録し、またそのディスクに収録されている各曲に対してその曲の名称としてのタイトル情報とその曲のアーティスト情報等を記録することができるようになっている。
【０００６】
そのため、上記のような限られた空間に配置する必要のある、例えば車両用ＣＤプレーヤ、或いはＭＤプレーヤにおいても、現在再生しているディスクのタイトル情報やアーティスト情報、或いは再生中の曲のタイトル、更には必要に応じてその曲のアーティストを利用者に対して表示することが望まれ、したがってこれらのプレーヤにとってこれらの情報を利用者に知らせることができる表示装置は欠くことができない装置であって、特に車を運転する人に対して一目でその情報を伝えることができるようにすることが望まれる。
【０００７】
しかしながら、これらのプレーヤは上記のように限られた空間において、例えば車両搭載機器の標準である１ＤＩＮにまとめるためには、プレーヤの操作にとって必須の各種操作ボタンを配置した残りの表面部分に表示装置を配置する必要があり、その面積は限られた部分のある程度小面積とならざるを得ない。この表示装置に対して、上記のような現在再生中のディスク、或いは曲に関する種々の情報を運転者にでもわかりやすく表示する必要があり、また表示する文字はあまり小さなものとすることはできない。そのためこれらの情報の表示部分は、各種情報を１行程度にして表示しなければならないことも多い。
【０００８】
【発明が解決しようとする課題】
上記のような現在再生しているディスクや曲の情報を表示する再生情報表示装置において、再生しているディスクのタイトル情報、アーティスト情報、更には各曲のタイトル情報、及び必要に応じて各曲のアーティスト情報等の情報を表示するには、表示することができる部分の面積等に応じて、また、できる限りわかりやすく表示する観点から次のような表示方式が考えられている。
【０００９】
即ち、第１にこれらの情報を各々別々に表示する方式、第２にディスクのタイトルとアーティストをまとめてディスクテキストとして各々表示し、また、各曲のタイトルとアーティストをまとめてトラックテキストとして各々表示する方式、第３にディスクのタイトルとアーティストをまとめてディスクテキストとして表示し、また、各曲についてはタイトルのみを表示する方式等が存在する。
【００１０】
これらの表示方式のうち上記第１の方式については、現在市販されているＣＤは各ディスクのアーティストとして記録しているものと、各曲のアーティストとは同じである場合が多いため、各曲のアーティストの記録を省略している場合が多い。そのため、各情報を各々表示する際には、曲のアーティスト情報が空欄となることが多く、その表示部分は無意味なものとならざるを得ず、しかも表示のデザインの面からも好ましくない。
【００１１】
また、前記第３の方式では各曲のアーティストが表示されないので、そのディスクが全て同一のアーティストの曲のみを集めている場合はよいが、例えばオムニバス系のＣＤのように種々のアーティストの曲を集めて１枚のＣＤにまとめている場合のように、各曲でアーティストが異なる場合は、各曲のアーティストが表示されないのは好ましくない。このようなことから、上記のような各種の表示方式のうちでは、第２のディスクのタイトルとアーティストをまとめてディスクテキストとして各々表示し、また、各曲のタイトルとアーティストをまとめてトラックテキストとして各々表示する方式が好ましい。
【００１２】
このように、表示装置に各曲のアーティスト情報を表示する際には、ＣＤにおける各種情報を記録しているＣＤテキストにおいては、現在市販されているＣＤの多くは各ディスクのアーティストとして記録しているものと、各曲のアーティストとは同じである場合が多いものの、前記のように種々の曲を集めて１枚のＣＤにまとめているオムニバス系のＣＤの場合には、例えほとんどの曲が特定のアーティストの曲である場合でも、各曲に対してアーティスト名を記録することが多い。また、ある特定のアーティストのアルバムを記録したＣＤにおいて、その中にデュエット曲が入っている場合には、そのデュエット曲の複数のアーティストを記録すると共にそのＣＤについては全ての曲にアーティストを記録することもある。
【００１３】
また、ＭＤのように自分でディスクに記録する曲を選択して入力する場合は、それ以降の編集も考慮して全ての曲にＭＤタイトルとしてアーティスト名を記録することが多い。更に、ＣＤの曲を適宜選択してＣＤ−Ｒに記録するときも同様に、各曲の全てにアーティスト名を記録することが多く、またＭＰ３により多くの曲を編集しながらＣＤ−Ｒやメモリ等に記録するときも、それ以降の編集を考慮して、またパソコンにより編集を行うとき一括して同じ名称を入力できることもあり、ＩＤ３タグにアーティスト名を全曲に対して記録することが多く、ＩＤ３タグには更にこの曲のジャンル等、より多くの情報を入力することも行われる。
【００１４】
このことは上記のようなＭＰ３によるデータ圧縮技術を用いて記録する以外に、他の各種記録方式によって多くの曲を編集しながら１つの記録媒体に編集する際には、同様に各曲の全てに曲のタイトル名、アーティスト名、アルバム名、ジャンル等、多数の情報を記録することが多い。
【００１５】
上記のように、ＣＤ、ＭＤ、ＣＤ−Ｒ、メモリ等の各種記録媒体に、その記録媒体全体が同じアーティストである場合でさえも各曲に対して同じアーティストの名前を記録することがあり、また、その記録媒体の全体の曲が同一のアーティストではなく、多くの曲が同じアーティストである場合においては更に、そのアーティストの名前が該当する曲の全てにわたってそのアーティスト名を記録することが多くなる。
【００１６】
そのため、前記のようにこのオーディオ記録媒体を再生するプレーヤの表示装置部分に各曲のタイトルと共にアーティスト名を記録する場合には、例えば図４（ａ）に示すようなＣＤテキストやＭＤタイトルが存在するとき、同図（ｂ）に示すように各曲の表示に際してＣＤのアーティストと同じアーティスト名である「Ｍａｒｉａｈ  Ｃａｒｅｙ」が表示されることとなる。このように、ディスクのアーティスト名と同じアーティスト名がこのディスクの各曲の再生中に、表示装置に対して全て同様に表示される場合には、利用者にとって便利というよりもむしろ「うっとうしい」という感じを与える問題がある。
【００１７】
また、上記のような種々の情報を車両用オーディオ装置の比較的狭い表示部分に表示するような場合には、図５（ｂ）に示されるような各曲のタイトルとアーティスト名を表示する際には、これを一度に表示することができない場合が多いため、これ等の情報をスクロースして表示することとなる。特に上記のような各曲のジャンル等、更に種々の情報を表示する際には、スクロールして表示するしかなくなる。
【００１８】
その際には、例えば図６（ａ）に示されるようなスクロール表示が行われることとなる。この例においてはプレーヤの表示部分が１行８文字の表示を行うスペースしか存在しないので、表示すべき情報を順に自動的にスクロールして表示する例を示している。この例における表示内容は、曲タイトルが「Ｓｈａｐｅ  Ｏｆ  Ｍｙ  Ｈｅａｒｔ」、アーティスト名が「ＢＡＣＫＳＴＲＥＥＴ  ＢＯＹＳ」、アルバム名が「ＢＬＡＣＫ＆ＢＬＵＥ」であるとき、これを順に図６（ａ）に示されるように表示し、この曲が終了するまでこのスクロール表示を継続することとなる。
【００１９】
利用者はこの場合においては、最初その曲の全ての情報が欲しいと思ってここに表示された情報を見たときでも、しばらくその曲を再生して聴いているうちにその曲の情報を忘れてしまったときに、改めてこの表示を見るのが通常の状態である。このように、一度見た情報をしばらくたってから見ようとするときは、現在再生している曲に特有の情報を知りたいためであることが多く、連続して再生している各曲に共通の情報をここで見ようとする場合は少ない。したがって上記のような種々の情報の中で、利用者が真に知りたいと思う現在再生している曲特有の情報は、その曲のタイトル名であることがほとんどである。
【００２０】
そのため、上記のように各種情報を延々とスクロールして表示している途中で、利用者がその曲のタイトル名を見たいと思うとき、表示されている情報が長いのでその曲のタイトルが表示されるまで多くの時間がかかることがあり、その利用者が運転者である場合には運転に対する注意が散漫になる原因となり、また、なかなか所望の情報の表示が出てこないことにより利用者に対していらいらさせる原因ともなる。
【００２１】
また、プレーヤの表示装置に表示される情報は、利用者が本当にその曲に関する情報を知りたいと思うときに有効であるものの、実際にはいちいちその曲の情報を知りたいと思わないことも多い。そのようなときに、表示装置に一見してわからない種々の情報が延々と表示されることは利用者にとって無用のことであり、また表示装置の全体の装飾性を害することとなり、何か特定の情報のみを表示している方がかえって利用者にとって目障りにならず、またその表示の変化が過剰にならずに見栄えが良くなる場合もある。
【００２２】
したがって本発明は、比較的狭い表示装置の部分に、利用者にとって本当に必要な情報のみを明瞭に示し、うっとうしさを与えることがないようにし、また各種情報をスクロールして表示するときに、真に必要な情報のみを簡潔に表示し、利用者にうっとうしい感じを与えず、またわかりやすい表示を行うことができるようにしたオーディオ情報表示装置を提供することを目的とする。
【００２３】
【課題を解決するための手段】
本発明に係るオーディオ情報表示装置は、上記課題を解決するため、再生しているオーディオ記録媒体に複数記録されたオーディオ毎のタイトルを表す個別タイトル情報及びオーディオ毎のアーティストを表す個別アーティスト情報、並びに前記複数のオーディオに対して共通のタイトルを表す共通タイトル情報及び共通のアーティストを表す共通アーティスト情報の各情報を読み込む情報データ読込部と、前記情報データ読込部の各情報を選択して表示装置に出力する表示情報選択出力部とを備え、前記表示情報選択出力部では、前記個別アーティスト情報が前記共通アーティスト情報と同一であるときには個別アーティスト情報を表示しないようにしたものである。
【００２４】
また、本発明に係る他のオーディオ情報表示装置は、再生しているオーディオ記録媒体に複数記録されたオーディオ毎のタイトルを表す個別タイトル情報及びオーディオ毎のアーティストを表す個別アーティスト情報、並びに前記複数のオーディオに対して共通のタイトルを表す共通タイトル情報及び共通のアーティストを表す共通アーティスト情報の各情報を読み込む情報データ読込部と、前記情報データ読込部の各情報を選択して表示装置に出力する表示情報選択出力部とを備え、前記表示情報選択出力部では、再生しているオーディオ記録媒体に前記共通のアーティスト情報が存在しないとき、直前に再生したオーディオの個別アーティスト情報と同一の個別アーティスト情報を表示しないようにしたものである。
【００２５】
また、本発明に係る他のオーディオ情報表示装置は、前記表示情報選択出力部では更に、前記個別アーティスト情報が前記共通アーティスト情報と同一であるときには個別アーティスト情報を表示しないようにしたものである。
【００２６】
また、本発明に係る他のオーディオ情報表示装置は、再生しているオーディオ記録媒体に複数記録されたオーディオ毎のタイトルを表す個別タイトル情報及びオーディオ毎のアーティストを表す個別アーティスト情報、並びに前記複数のオーディオに対して共通のタイトルを表す共通タイトル情報及び共通のアーティストを表す共通アーティスト情報の各情報のうち複数の情報を読み込む情報データ読込部と、前記情報データ読込部の各情報を選択して表示装置に出力する表示情報選択出力部と表示装置にオーディオ情報をスクロールして表示するスクロール制御部とを備え、前記表示情報選択出力部では、スクロール回数が所定回数以上のときには、予め定めた特定の情報のみを表示したものである。
【００２７】
また、本発明に係る他のオーディオ情報表示装置は、再生しているオーディオ記録媒体に複数記録されたオーディオ毎のタイトルを表す個別タイトル情報及びオーディオ毎のアーティストを表す個別アーティスト情報、並びに前記複数のオーディオに対して共通のタイトルを表す共通タイトル情報及び共通のアーティストを表す共通アーティスト情報の各情報のうち複数の情報を読み込む情報データ読込部と、前記情報データ読込部の各情報を選択して表示装置に出力する表示情報選択出力部と、表示装置にオーディオ情報をスクロールして表示するスクロール制御部とを備え、前記表示情報選択出力部では、利用者による表示切替操作入力が行われたときには、予め定めた特定の情報のみを表示したものである。
【００２８】
また、本発明に係る他のオーディオ情報表示装置は、前記表示情報選択出力部では更に、スクロール回数が所定回数以上のときには、予め定めた特定の情報のみを表示したものである。
【００２９】
また、本発明に係る他のオーディオ情報表示装置は、前記オーディオ情報表示装置を車両に搭載した車両用オーディオ情報表示装置としたものである。
【００３０】
【発明の実施の形態】
本発明の実施の形態を図面に沿って説明する。図１は本発明によるオーディオ情報表示装置の機能ブロック図であり、ＣＤ或いはＭＤ等のオーディオを記録したディスク１を再生する装置に適用した例を示している。同図においてディスク１はプレーヤ２にかけられ、モータ３によって回転し、ディスクの放射方向の軸線上で移動する光ピックアップ４によって記録されたＲＦデータが読み出される。これらのモータ３及び光ピックアップ４は、このオーディオディスクプレーヤの全体を制御するシステムコントローラ１１の信号を入力するサーボドライバ１０によって制御され、再生の開始、停止、ＣＤ１の任意の部分の各種のデータの読み出し等を行うことができる。
【００３１】
光ピックアップ４からの信号はＲＦアンプ５で増幅され、ディスクに記録されたデータの中から後述するような収録曲の情報データ７と、オーディオデータ８とを分離してデコードすることができるシステムデコーダ６に入力する。このシステムデコーダ６は、システムコントローラ１１により作動が制御され、ここでデコードされたオーディオデータ８は、従来の装置と同様にオーディオ信号出力部９から出力され、従来と同様に種々の信号処理がなされて図示されないスピーカから出力する。
【００３２】
情報データ７はオーディオの再生処理に関する情報の他、現在再生されているディスクの情報、及びこのディスクに収納されている曲としてのトラックの情報が存在し、これらが情報データ読込部１２に読み込まれる。図示実施例においてはこの情報データ読込部１２において、本発明に関連する情報として、再生しているディスクのディスクタイトル１３、ディスクアーティスト１４、トラックタイトル１５、トラックアーティスト１６及び必要に応じてこのディスクの収録された年月、ジャンル等のその他の情報１７が各々読み込まれている。
【００３３】
このようなデータは表示情報選択出力部２３において後述するように適宜選択され、このように選択されたもののみが表示制御部２４に出力され、最終的に表示装置２５に表示される。前記表示情報選択出力部２３は、システムコントローラ１１によって予め定められた例えば後述する作動フローに沿って作動し、トラックアーティストの表示処理、スクロールを行う情報の選択表示処理等がなされる。
【００３４】
アーティスト情報比較判別部２０では、情報データ読込部１２に読み込まれたディスクアーティスト１４と、トラックアーティスト１６とを入力し、両者を比較することによってトラックアーティスト１６がディスクアーティスト１４と同一か否かを判別する第１の判別を行っており、その判別結果を表示用トラックアーティスト出力部２２に出力している。
【００３５】
表示用トラックアーティスト出力部２２では、前記判別の結果両者が同一と判別した結果をアーティスト情報比較判別部２０から入力したときには、同じアーティスト名を繰り返し表示することによる、利用者へうっとうしさを与えることを防止するため、トラックアーティストの表示を行わないように表示情報選択出力部２３に信号を出力する。
【００３６】
また、前トラックアーティスト記憶部２１には現在再生している曲の１つ前の曲、即ち前トラックのアーティストを更新しつつ記憶している。前記アーティスト情報比較判別部２０ではこの前トラックアーティストのデータを取り込み、ディスクアーティスト１４のデータが存在しないときには、前トラックアーティストと現在再生している曲のトラックアーティストとが同一か否かを判別する第２の判別を行い、その判別結果も表示用トラックアーティスト出力部２２に出力している。
【００３７】
表示用トラックアーティスト出力部２２では、前記判別の結果両者が同一と判別した結果をアーティスト情報比較判別部２０から入力したときには、前の曲と同じアーティストを繰り返し表示することによる、利用者へうっとうしさを与えることを防止するため、この場合もトラックアーティストの表示を行わないように表示情報選択出力部２３に信号を出力する。
【００３８】
表示情報選択出力部２３では、情報データ読込部１２における種々の情報を入力しており、システムコントローラ１１の指示に従って、例えばディスクタイトルとディスクアーティストとを組み合わせ、またトラックタイトルと必要に応じてトラックアーティストとを組み合わせて表示するように選択し、更にスクロールして表示する際の情報を選択して順に表示する。このとき、トラックアーティストについては、表示用トラックアーティスト出力部２２からの前記のようなトラックアーティストを表示するか否かの信号に基づいて、その出力制御を行う。
【００３９】
表示制御部２４には表示情報選択出力部２３から前記のような情報が選択されて出力され、システムコントローラ１１の指示に従って所定の順序に表示を行うように制御する。このとき、表示装置２５の表示部分が小さいため、情報の全てを表示することができないときには、適宜スクロール表示方法によって順に情報を表示する。そのスクロール表示については、後述するスクロール制御部３０からの信号によっても制御される。
【００４０】
表示制御部２４においてスクロール表示を行っているとき、一連の表示が繰り返し何回行われたかを検出するスクロール回数検出部３１を備え、スクロール回数検出部３１におけるその回数データは、スクロール表示切替部２８に出力している。スクロール表示切替部２８においては、この回数データが例えば３回等の所定回数ｎ回より大きいか否かを検出し、それより大きいときには一連の長い情報を延々と連続して表示することによる利用者のいらいらを防止するため、曲タイトル等の予め指定した情報のみをスクロールする第１のスクロール切替信号をスクロール制御部３０に出力している。
【００４１】
システムコントローラ１１にはこのプレーヤの機能を利用者の操作によって行うため、操作信号入力部を接続している。操作信号としてはプレーヤ等に設けられたキー、リモコンキー、タッチパネル、更には音声認識等の操作信号を利用することができる。この操作信号入力部２７には、利用者によって前記のようなスクロール表示を任意に設定するため、スクロール表示切替キー３２を備えている。なお、このスクロール表示切替キー３２は、プレーヤ等に設けられたスクロール表示切替のためのキーやリモコンの表示切替キーの他、タッチパネルや音声認識による信号によっても入力することができる。
【００４２】
スクロール表示切替部２８においてはこのスクロール表示切替キー３２の信号を入力しており、前記キー操作の信号を入力したときには、スクロール表示を例えばアルバム名としてのディスクタイトルのみをスクロールして表示する等、所定の情報のみをスクロールして表示するように切り替える第２のスクロール切替信号をスクロール制御部３０に出力している。
【００４３】
スクロール制御部３０においては、システムコントローラ１１の制御信号と、前記のようなスクロール表示切替部２８の第１のスクロール切替信号及び第２のスクロール切替信号を入力し、前記一連の長い情報をｎ回以上表示した後の第１のスクロール切替信号を入力したときには、表示制御部２４に対して曲のタイトル等の予め指定した情報のみをスクロールする信号を出力し、表示装置２５において一連の長い情報のスクロール表示から、トラックタイトルのみのスクロール表示等、簡素なスクロール表示を行うようにしている。
【００４４】
また、前記利用者がキー操作したときの第２のスクロール切替信号を入力したときには、表示制御部２４に対して一連の長い情報のスクロール表示から、ディスクタイトル等の予め定められた情報のみのスクロール表示を行い、簡素なスクロール表示を行うようにしている。このような予め定められた情報の選択は、システムコントローラ１１によって制御されている表示情報選択出力部２３によって行い、表示制御部２４がこの選択した情報を、前記スクロール制御部３０の信号によってスクロールしながら表示装置２５に表示する。
【００４５】
上記のような機能ブロックからなる本発明による装置は、例えば図２の作動フロー及びこの作動フローに続けて行い、あるいは別途行う図３の作動フローによって作動させることができる。以下この作動フローを前記図１及び図４〜図７の表示例を参照しつつ説明する。ディスク再生情報の表示処理に際して、ディスクがプレーヤにかけられ再生が開始されたときにこの処理が開始され、最初にディスクタイトルとディスクアーティスト情報の読み込みが行われ（ステップＳ１）、読み込まれた情報の表示用出力を行う（ステップＳ２）。
【００４６】
この表示用出力としては、例えば表示用メモリにおける各情報を記憶するために対応したバッファ部分に埋め込むことによって行うことができ、以下の各種情報も同様にして表示用出力が行われる。なお、このとき例えば一部のオムニバスＣＤのようにディスクアーティスト情報が存在しない場合は、前記のような読み込みを行った結果その情報が存在しないこととなるので、その出力データは実質的には存在しない。
【００４７】
次いでこれから再生する曲のタイトル、即ちトラックタイトル情報の読み込みを行い（ステップＳ３）、このトラックタイトルについてもそのまま表示用出力を行う（ステップＳ４）。これらの各種情報の読み込みと表示出力は、図１におけるシステムデコーダ６で分離された情報データ７を情報データ読込部１２が読み込み、読み込んだディスクタイトル１３、ディスクアーティスト１４、トラックタイトル１５を表示情報選択出力部２３が選択して、表示制御部２４に設けたメモリに出力することによって行う。
【００４８】
その後、再生を始める曲についてトラックアーティスト情報の読み込みを行い（ステップＳ５）、次いで前記読み込み処理の結果トラックアーティスト情報が存在するか否かを判別する（ステップＳ６）。この判別の結果、トラックアーティスト情報が存在しないと判別されたときにはステップＳ１１に進み、トラックアーティストの表示出力無しの状態で、この実施例では次のスクロール表示処理へ進む。
【００４９】
前記ステップＳ６においてトラックアーティスト情報があると判別されたときには、続いて前記ステップＳ１において読み込み作動が行われたディスクアーティスト情報が実際に存在したか否かを判別する（ステップＳ７）。その結果存在したと判別されたときには前記トラックアーティストとディスクアーティストとが同一か否かを判別する（ステップＳ８）。その判別の結果、トラックアーティストとディスクアーティストが同一ではないと判別されたときには、トラックアーティストの表示出力を行う（ステップＳ９）。
【００５０】
また、前記ステップＳ７においてディスクアーティスト情報は存在したか否かの判別において、存在しなかったと判別されたときにはステップＳ１０に進み、これから再生しようとしているトラックのアーティストが、直前に再生したトラックのアーティストと同一か否かを判別し、同一ではないと判別されたとき、即ち直前に再生した曲とアーティストが異なると判別されたときにはステップＳ９に進み、トラックアーティストの表示出力を行う。
【００５１】
一方、ステップＳ８においてトラックアーティストはディスクアーティストと同一であると判別されたときには、トラックアーティストの表示出力を行わない（ステップＳ１１）。即ち、利用者は先にそのディスクのアーティストの情報はその表示を見て知っているので、特にアーティストの表示がないときには先に表示したディスクアーティストと同じであると推定でき、現在再生されている曲はこのディスクのアーティストであると認識することができ、同じアーティストを繰り返し表示することにより、利用者に対してうっとうしさを与えること解消することができる。
【００５２】
また、前記ステップＳ７においてディスクアーティスト情報は存在しなかったと判別され、更にステップＳ１０において直前のトラックのアーティストと同一ではないと判別されたときにも、トラックアーティストの表示出力を行わない（ステップＳ１１）。即ち、前記のような処理のみでは、ディスクアーティストが存在しないときには全てトラックアーティストを表示することとなるが、このような判別処理を行う結果、ディスクアーティスト情報が存在しない場合でも、現在再生しようとしている曲が直前に再生した曲と同じアーティストであるときにはこれを表示しないようにすることができ、ここにおいても同じアーティストを繰り返し表示することにより、利用者に対してうっとうしさを与えること解消することができる。
【００５３】
上記のようなトラックアーティストの表示処理の結果、例えば図４に示すような表示が行われる。即ち、再生するディスクがＣＤであるときにはそのＣＤに記録されているＣＤ−Ｔｅｘｔ、或いは再生するディスクがＭＤであるときにはそのＭＤに記録されているＭＤ−ＴＩＴＬＥが同図（ａ）に示すような場合、従来の再生情報表示装置におけるこれらの情報の表示に際しては同図（ｂ）に示されるように表示されるのに対して、本発明による上記のような特にステップＳ８の処理を行う結果、同図（ｃ）に示されるような表示がなされる。
【００５４】
即ち、このディスクの例においては、トラックナンバー（Track No.）として示している００部分はディスクテキスト（Disc Text）であり、このディスクの場合は「＃１’ｓ」であって、ディスクアーティストはＭａｒｉａｈ  Ｃａｒｅｙの各情報が記録されている例を示している。また、このディスクに収録されている曲はトラックナンバー（０１）として、トラックタイトルが「Ｓｗｅｅｔ  Ｈｅａｒｔ」であり、トラックアーティストが前記ディスクアーティストと同じＭａｒｉａｈ  Ｃａｒｅｙである例を示している。
【００５５】
以下同様にトラックナンバー（０２）として、トラックタイトルが「ＷｈｅｎＹｏｕ  Ｂｅｌｉｅｖｅ」であり、トラックアーティストはＭａｒｉａｈ  ＣａｒｅｙとＷｈｉｔｎｅｙ  Ｈｏｕｓｔｏｎのデュエットであって、更にトラックナンバー（０３）として、トラックタイトルが「Ｗｈｅｎｅｖｅｒ  ｙｏｕ  ｃａｌｌ」であって、トラックアーティストはＭａｒｉａｈ  Ｃａｒｅｙである例を示している。
【００５６】
このようなディスクの再生に際して、従来の再生情報表示装置においては図４（ｂ）に示すように、ディスク情報として「＃１’ｓ／Ｍａｒｉａｈ  Ｃａｒｅｙ」が表示され、次いで第１曲目のトラック情報とそのトラックアーティストが「Ｓｗｅｅｔ  Ｈｅａｒｔ／Ｍａｒｉａｈ  Ｃａｒｅｙ」として一連に表示されることとなる。また、以下同様に各トラックについて全てトラックタイトルとトラックアーティストが対になって表示され、それによりトラックナンバー０２は「Ｗｈｅｎ  Ｙｏｕ  Ｂｅｌｉｅｖｅ／Ｍａｒｉａｈ  Ｃａｒｅｙ  ａｎｄ  Ｗｈｉｔｎｅｙ  Ｈｏｕｓｔｏｎ」、トラックナンバー０３は「Ｗｈｅｎｅｖｅｒｙｏｕ  ｃａｌｌ／Ｍａｒｉａｈ  Ｃａｒｅｙ」と表示される。そのため、トラックナンバー０２のデュエット曲についてはその表示は適切であるとしても、他の曲のトラックアーティストは全てそのディスクアーティストと同一であるにも関わらず、これを繰り返し表示することとなる。
【００５７】
このようなトラックアーティストの表示については、例えば従来のＣＤにおいては、１枚のディスクに収録されている曲が全て同じアーティストであることが多いため、オムニバスＣＤ等の特別な場合を除いて、そのトラックアーティストの情報記録部分には何も記録しないことが多い。そのため従来のＣＤの再生に際しては、特別な処理を行わなくても、ディスクアーティストとトラックアーティストが同じ場合にはトラックアーティストが表示されず、同じトラックアーティストが連続して表示されることによるうっとうしさはほとんど存在せず、例えば前記のような一部にデュエット曲があるときに他の曲にもトラックアーティスト情報が記録される程度に過ぎなかった。
【００５８】
しかしながら、先に述べたように、ＭＤにおいては利用者が編集して種々の曲を混在させることも多いため、各曲にトラックアーティストの情報を書き込むことが多い。特にＣＤ−Ｒ等のようにパソコンを用いて収録曲の編集を行うような場合は、その後のデータの移動も考慮して、またパソコンによるデータコピーの容易性から、全ての曲にトラックアーティストを記録することが多い。そのため、特に近年のディスクプレーヤの再生情報の表示がうっとうしく感じることが多くなっている。
【００５９】
その点本発明においては、図４（ｃ）に示すように、ディスクの情報としては前記従来と同様に「＃１’ｓ／Ｍａｒｉａｈ  Ｃａｒｅｙ」と表示されるが、トラックナンバー０１では、そのトラックアーティストが前記ディスクアーティストと同一であるので、そのトラックアーティストの表示が省略され、トラックタイトルのみの「Ｓｗｅｅｔ  Ｈｅａｒｔ／Ｍａｒｉａｈ  Ｃａｒｅｙ」として表示される。
【００６０】
次いで、トラックナンバー０２では、そのトラックアーティストがディスクアーティストと一部が異なるため、トラックタイトルと共にトラックアーティストが表示され、したがって「Ｗｈｅｎ  Ｙｏｕ  Ｂｅｌｉｅｖｅ／Ｍａｒｉａｈ  Ｃａｒｅｙ  ａｎｄ  Ｗｈｉｔｎｅｙ  Ｈｏｕｓｔｏｎ」と表示される。なお、このように一部のアーティストのみが異なるときは同一アーティストと認定して、これを表示しないようにすることもできる。更に、トラックナンバー０３においてはそのトラックアーティストが前記ディスクアーティストと同一であるので、そのトラックアーティストの表示が省略され、トラックタイトルのみの「Ｗｈｅｎｅｖｅｒ  ｙｏｕ  ｃａｌｌ」が表示されることとなる。
【００６１】
このようにして、再生するディスクにディスクアーティスト情報が存在するときにおいて、再生する曲のトラックアーティストがこのディスクアーティストと同じときにはそれが表示されず、例えそのディスクがＭＤやＣＤ−Ｒ等のようにトラックアーティスト情報を各トラックに対して記録することが多い場合でも、同じトラックアーティストが繰り返し表示されることが無くなり、利用者に対してうっとうしい感じを与えることが無くなる。
【００６２】
また、例えば図５（ａ）に示すように、再生するディスクにディスクアーティストが記録されていないときには、同図（ｂ）に示すように、直前に再生したトラックと同じアーティストのときには、トラックアーティストの表示を省略する。即ち、図５（ａ）に示す例においてはオムニバスＣＤの例を示しており、したがってディスクタイトルは「Ｏｍｎｉｂｕｓ  ＣＤ」と記録され、ディスクアーティストについては記録されていない。このディスクに収録される曲は、トラックナンバー０１と０２のトラックアーティストはＭａｒｉａｈ  Ｃａｒｅｙであり、トラックナンバー０３のトラックアーティストはＣｙｎｄｙ  Ｌａｕｐｅｒである例を示している。
【００６３】
このようなディスクを再生する際、本発明においては同図（ｂ）に示すように、ディスクの情報の表示に際してはディスクタイトルのみの「Ｏｍｎｉｂｕｓ  ＣＤ」と表示され、トラックナンバー０１についてはトラックタイトルとトラックアーティストが表示され、その結果「Ｓｗｅｅｔ  Ｈｅａｒｔ／ＭａｒｉａｈＣａｒｅｙ」と表示される。次のトラックナンバー０２については、そのトラックアーティストは直前に再生したトラックのアーティストのＭａｒｉａｈ  Ｃａｒｅｙと同一であるのでこれを表示せず、その結果「Ａｌｌ  Ｉ  Ｗａｎｔ  Ｆｏｒ  Ｃｈｒｉｓｔｍａｓ  ｉｓ  Ｙｏｕ」と表示する。その次のトラックナンバー０３については、そのトラックアーティストはＣｙｎｄｙ  Ｌａｕｐｅｒであって、直前に再生したトラックのアーティストＭａｒｉａｈ  Ｃａｒｅｙとは異なるのでこれを表示し、その結果「Ｇｉｒｌｓ  ｊｕｓｔ  ｗａｎｔ  ｔｏ
ｈａｖｅ  Ｆｕｎ／Ｃｙｎｄｙ  Ｌａｕｐｅｒ」と表示する。
【００６４】
このように、ディスクアーティストが存在しないオムニバスＣＤのような場合でも、また各種の曲を編集することによって特にそのディスクにアーティスト名を記録しなかったＭＤやＣＤ−Ｒのような場合においても、前に再生した曲と同一のアーティストである場合にはこれを表示することなく、利用者にうっとうしい感じを与えることが無くなる。
【００６５】
一方、前記図２におけるステップＳ９においてトラックアーティストの表示出力を行うこととなり、またステップＳ１１においてトラックアーティストの表示出力を行わないこととなった後は、図３に示すようなこの再生情報のスクロール表示処理に移行する。即ち、スクロール表示処理に際しては、最初にスクロール表示を行うか否かを判別し（ステップＳ１２）、その判別の結果、この表示装置においては全ての情報を一度に表すことができる十分の表示スペースが存在するとき、また少なくとも前記各種情報をそれぞれ個別に順番に表示し、各情報については全て表示することができるスペースが存在するとき、また表示するテキストデータがきわめて短いためスクロールしなくても全て表示できると判別されたときにはステップＳ２０に進み、スクロールを行わない静止表示を行う。なお、上記のような場合においても、表示装置の装飾性向上のためスクロール表示することもできる。
【００６６】
前記ステップＳ１２においてスクロール表示を行うと判別したときには、表示装置に対して前記各種情報のスクロール表示を開始する（ステップＳ１３）。このスクロール表示に際して、再生するディスクのディスクタイトルが「ＢＬＡＣＫ＆ＢＬＵＥ」、ディスクアーティストが「ＢＡＣＫＳＴＲＥＥＴ  ＢＯＹＳ」、現在再生しているトラックタイトルが「Ｓｈａｐｅ  Ｏｆ  Ｈｅａｒｔ」で、このディスクに収録されている曲が全てディスクアーティストである「ＢＡＣＫＳＴＲＥＥＴ  ＢＯＹＳ」のものであって、各曲に対して個別にはディスクアーティストの情報が記録されていない場合について述べる。この場合には既に説明した前記図２の作動フローにおいて、そのステップＳ６でトラックアーティスト情報がないと判別され、その結果ステップＳ１１でトラックアーティストの表示用出力が行われない作動状態で図３の前記ステップＳ１３に進んでおり、したがってそのときのスクロール表示はトラックアーティストの表示無しで行われることとなり、例えば図６（ａ）に従来例として示している状態で最初のスクロール表示が行われる。
【００６７】
図６（ａ）に示す例においては表示装置に（１）〜（８）の８個の文字表示領域が存在し、ここにディスク及びトラックの情報を表示するに際して、トラックタイトル、ディスクアーティスト、ディスクタイトルの順にスクロールして表示する例を示している。したがって前記のような情報を記録したディスクの再生に際しては、「Ｓｈａｐｅ  Ｏｆ  Ｈｅａｒｔ／ＢＡＣＫＳＴＲＥＥＴ  ＢＯＹＳ／ＢＬＡＣＫ＆ＢＬＵＥ」という情報をスクロールして表示することとなる。なお、図６（ａ）に示す従来例においては、このような順序で全ての情報が毎回同様にスクロールし続けることとなる。
【００６８】
このようなスクロールの開始後、スクロール回数の検出を行う（ステップＳ１４）。このスクロール回数の検出は、図１におけるスクロール回数検出部３１で行われ、ここで検出したスクロール回数は後述するステップＳ１６において用いられる。次いで、スクロール表示切り替えのキー操作を行ったか否かを判別し（ステップＳ１５）、利用者が図１の操作信号入力部２７におけるスクロール表示切替キー３２を操作していないときにはステップＳ１６に進み、スクロールは所定回数としてのｎ回以上か否かを判別する。この判別における所定回数のｎ回は例えば４回等、任意に設定することができる。
【００６９】
この判別の結果未だｎ回に達していないと判別されたとき、即ち例えばこのｎ回が４回と設定されていたときにおいて、未だ４回目のスクロールに入っていないと判別されたとき、即ち３回のスクロールが終了したと判別されたときにはステップＳ１４に戻り、再度スクロール回数の検出を行い、その後先と同様にスクロール表示切替キー操作があったか否かの判別を行う作動を繰り返す。
【００７０】
ステップＳ１６においてスクロールがｎ回以上、即ち前記例においては４回スクロールしたことがステップＳ１４で検出されたときには、この実施例においてはトラックタイトル名のみのスクロール表示を行う。それにより、全ての情報の表示によるスクロールが繰り返し３回終了し、ステップＳ１４においてスクロールが４回目に入ったことを検出したとき、トラックタイトル名のみのスクロールを開始する。この表示情報の選択は、図１の表示情報選択出力部２３がシステムコントローラ１１の指示により行う。
【００７１】
このようなスクロールの制御による実際の表示は、例えば図６（ｂ）に示すようにして行われる。即ち、最初のｎ回は前記図６（ａ）に示す従来例と同様にして、トラックタイトル、ディスクアーティスト、ディスクタイトルの順にスクロールして表示するため、「Ｓｈａｐｅ  Ｏｆ  Ｈｅａｒｔ／ＢＡＣＫＳＴＲＥＥＴ  ＢＯＹＳ／ＢＬＡＣＫ＆ＢＬＵＥ」という情報をスクロールして表示するが、前記の例においてはこれを３回繰り返した後は、それ以降のスクロールは「Ｓｈａｐｅ  Ｏｆ  Ｈｅａｒｔ」というトラックタイトルのみのスクロール表示を行う。
【００７２】
それにより、長い情報が連続してスクロールされることにより、通常の場合は利用者が特に知りたいと思われる情報は現在再生されている曲の題名、即ちトラックタイトルであり、この情報は長く連続する情報の中から見つけ出すことは、一見しただけでは困難であり、しばらくスクロールを見て初めてそのトラックタイトルがわかることが多い。そのため、特に車の運転者がこの表示を見るときには安全運転に対する注意力が散漫になる問題点があったが、上記のように構成することにより全体の情報を所定回数表示した後はトラックアーティストのみ表示するため、利用者にとってわかりやすい再生情報の表示を行うことができる。
【００７３】
なお、ｎ回以降のスクロール表示において、前記実施例においてはトラックタイトルのみのスクロール表示を行う例を示したが、例えば現在再生しているディスクのアーティスト名、即ちディスクアーティストのみをスクロール表示してもよく、またディスクタイトルのみをスクロール表示するように予め設定しておくこともできる。
【００７４】
一方、前記ステップＳ１５においてスクロール表示切替キー操作有りと判別されたとき、即ち図１における操作信号入力部２７から利用者によってスクロール表示を切り替えるよう指示するキー入力があったときには、図示実施例においてはディスクタイトル名のみのスクロール表示を行うようにしている。そのときには例えば図７（ｂ）に示すように、図７（ａ）の従来の全情報スクロール表示方式から、ディスクタイトルのみのスクロール表示に切り替えることができ、全ての情報のスクロールが開始した後からｎ回の全情報のスクロールが終了する迄は、表示切替のキー入力があったときからディスクタイトル名のみのスクロール表示を行うことができる。なお、ここにおいても前記と同様に任意の情報の表示に設定することができ、例えばディスクアーティスト名のみのスクロール表示、あるいはトラックアーティスト名のみのスクロール表示に切り替えることもできる。このような表示情報の選択も、システムコントローラ１１の制御により表示情報選択出力部２３によって行う。
【００７５】
また、このような表示切替キー操作による特定の情報のみをスクロールして表示するときには、その情報の選択設定によっては、先に述べたｎ回全情報のスクロール表示を行った後に特定の情報のみを表示する情報と同じ情報をスクロール表示する事もあり得るが、例えば前記ｎ回を７回のように多くの回数を設定し、利用者がその間にキー操作を行ったときには直ちにその特定の情報を表示し、利用者の意志に沿った情報表示を行うことができ、このような使用方法も可能である。このように、利用者がキー操作を行うことにより表示する特定の情報は、予め利用者によって任意に選択するメニューを備えておき、ここで前もって任意に設定しておくこともできる。
【００７６】
なお、上記実施例においては再生しているディスクが通常のＣＤのようにトラックアーティスト情報が記録されていないディスクを再生するときの例を示したが、例えばＣＤ−Ｒに各種オーディオ記録媒体のオーディオデータをＭＰ３等の種々の圧縮形式で記録したものを再生するときのように、ディスクアーティスト名が特に存在せず、各曲のアーティスト、即ちトラックアーティストを記録しているような場合には、トラックアーティストを表示するように選択することも可能である。
【００７７】
上記のように、ステップＳ１７においてｎ回全情報のスクロール表示を行った後の、例えばトラックタイトル名のような予め設定した情報のみのスクロール表示がされ、あるいはステップＳ２１において利用者の表示切替キー入力による、例えばディスクタイトル名のような予め設定した情報のみのスクロール表示がされた後は、そのトラックの再生は終了したか否かの判別を行い（ステップＳ１８）、未だ終了していないと判別されたときには、そのトラックの再生が終了するまで前記表示状態のまま待つ。
【００７８】
ここでそのトラックの再生が終了したと判別されたとき、及び前記ステップＳ２０でスクロール表示を行わず静止表示を行っているときには、ディスクの再生を終了するか否かの判別を行い（ステップＳ１９）、終了すると判別されたとき即ち、予め定められた再生プログラムに沿って再生しているときはそのプログラムによって現在再生したトラックでこのディスクの再生が終了する時、あるいは利用者によってそのディスクの再生停止指示があった時等においては、この作動フローを終了する（ステップＳ２２）。
【００７９】
未だそのディスクの再生が終了しないと判別されたとき、即ち前記のような再生の停止状態になっていないときには図２のステップＳ３に戻り、新たなトラックタイトル情報の読込みを行い、以降同様の作動をそのディスクの再生を終了すると判別するまで繰り返す。
【００８０】
本発明は上記のような実施例に限らず、種々の態様で実施することができ、例えば前記実施例において図２と図３に示す作動フローを連続して行う例を示したが、各々別個の作動を行うようにすることもでき、それぞれの作動において本発明の課題である再生情報の簡明な表示を行うことができる。
【００８１】
更に、図２においてディスクアーティストとトラックアーティストとが同一の場合、及びディスクアーティスト情報が無いときに、再生するトラックアーティストが直前に再生したトラックアーティストと同一の場合についてそのトラックアーティストを表示しない例を示したが、これらのうち片方の処理のみでも本発明を実施することができ、図示実施例においてはより良い態様として両方の処理を行う例を示している。
【００８２】
同様に、図３においてスクロールがｎ回以上の時と、利用者が表示切替のキー入力を行った時に予め定めた所定の情報のみを表示する例を示したが、これらのうち片方の処理のみでも本発明を実施することができ、図示実施例においてはより良い態様として両方の処理を行う例を示している。
【００８３】
また、上記実施例においてはオーディオデータをＣＤ、ＭＤ、ＣＤ−Ｒ等のディスクに記録したものを再生する例を示したが、例えばＤＶＤ、ハードディスク等に記録したもの、更には各種メモリカードやメモリチップに記録したオーディオデータを再生する場合にも、これらのオーディオ記録媒体の情報を表示する際に適用することができる。
【００８４】
【発明の効果】
本発明に係るオーディオ情報表示装置は、再生しているオーディオ記録媒体に複数記録されたオーディオ毎のタイトルを表す個別タイトル情報及びオーディオ毎のアーティストを表す個別アーティスト情報、並びに前記複数のオーディオに対して共通のタイトルを表す共通タイトル情報及び共通のアーティストを表す共通アーティスト情報の各情報を読み込む情報データ読込部と、前記情報データ読込部の各情報を選択して表示装置に出力する表示情報選択出力部とを備え、前記表示情報選択出力部では、前記個別アーティスト情報が前記共通アーティスト情報と同一であるときには個別アーティスト情報を表示しないようにしたので、共通のアーティスト情報が存在するときには原則としてその記録媒体に記録されている各オーディオはそのアーティストによるものであり、各曲の再生中においてはそのアーティスト名のようにあまり必要のない情報の表示を行うことがないため、利用者に対して表示内容が多すぎてうっとうしい感じを与えることが無くなる。また、比較的狭い表示装置の部分に、利用者にとって本当に必要な情報のみを明瞭に示し、表示内容を理解しやすい装置とすることもできる。
【００８５】
また、本発明に係る他のオーディオ情報表示装置は、再生しているオーディオ記録媒体に複数記録されたオーディオ毎のタイトルを表す個別タイトル情報及びオーディオ毎のアーティストを表す個別アーティスト情報、並びに前記複数のオーディオに対して共通のタイトルを表す共通タイトル情報及び共通のアーティストを表す共通アーティスト情報の各情報を読み込む情報データ読込部と、前記情報データ読込部の各情報を選択して表示装置に出力する表示情報選択出力部とを備え、前記表示情報選択出力部では、再生しているオーディオ記録媒体に前記共通のアーティスト情報が存在しないとき、直前に再生したオーディオの個別アーティスト情報と同一の個別アーティスト情報を表示しないようにしたので、再生している記録媒体に共通のアーティスト情報が存在しない場合でも、同じアーティストのオーディオが連続するとき、これを連続して表示することによってうっとうしい感じを与えることを解消することができる。
【００８６】
また、本発明に係る他のオーディオ情報表示装置は、前記表示情報選択出力部ではそれに加えて更に、前記個別アーティスト情報が前記共通アーティスト情報と同一であるときには個別アーティスト情報を表示しないようにしたので、再生している記録媒体に共通のアーティスト情報が存在しない場合でも、同じアーティストのオーディオが連続するとき、これを連続して表示することによってうっとうしい感じを与えることを解消することができるという前記の効果に加えて、更に、共通のアーティスト情報が存在するときには原則としてその記録媒体に記録されている各オーディオはそのアーティストによるものであり、各曲の再生中においてはそのアーティスト名のようにあまり必要のない情報の表示を行うことがないため、利用者に対して表示内容が多すぎてうっとうしい感じを与えることが無くなるという上記の効果も奏することができる。
【００８７】
また、本発明に係る他のオーディオ情報表示装置は、再生しているオーディオ記録媒体に複数記録されたオーディオ毎のタイトルを表す個別タイトル情報及びオーディオ毎のアーティストを表す個別アーティスト情報、並びに前記複数のオーディオに対して共通のタイトルを表す共通タイトル情報及び共通のアーティストを表す共通アーティスト情報の各情報のうち複数の情報を読み込む情報データ読込部と、前記情報データ読込部の各情報を選択して表示装置に出力する表示情報選択出力部と表示装置にオーディオ情報をスクロールして表示するスクロール制御部とを備え、前記表示情報選択出力部では、スクロール回数が所定回数以上のときには、予め定めた特定の情報のみを表示したので、特に狭い再生情報表示領域に表示する際にはスクロール表示を行うこととなるが、その際に多くの情報が延々と繰り返しスクロールされることにより、利用者が本当に知りたい情報がなかなか表示されずにいらいらすることが無くなり、利用しやすい装置とすることができる。特に車両にこの装置を搭載し、運転者がその情報を知ろうとしたとき、上記のように本当に知りたい情報はなかなか表示されないときには安全運転にも使用をきたすのに対して、この発明によると直ちに知りたい情報を見ることができるようになる。
【００８８】
また、本発明に係る他のオーディオ情報表示装置は、再生しているオーディオ記録媒体に複数記録されたオーディオ毎のタイトルを表す個別タイトル情報及びオーディオ毎のアーティストを表す個別アーティスト情報、並びに前記複数のオーディオに対して共通のタイトルを表す共通タイトル情報及び共通のアーティストを表す共通アーティスト情報の各情報のうち複数の情報を読み込む情報データ読込部と、前記情報データ読込部の各情報を選択して表示装置に出力する表示情報選択出力部と、表示装置にオーディオ情報をスクロールして表示するスクロール制御部とを備え、前記表示情報選択出力部では、利用者による表示切替操作入力が行われたときには、予め定めた特定の情報のみを表示したので、多くの情報をスクロールしているときでも、スクロール表示を行っているときに利用者が表示切替の操作入力を行ったときには、利用者が最も知りたいと思われる予め設定した情報を直ちに表示することができる。
【００８９】
また、本発明に係る他のオーディオ情報表示装置は、前記表示情報選択出力部ではそれに加えて更に、スクロール回数が所定回数以上のときには、予め定めた特定の情報のみを表示したので、前記のような多くの情報をスクロールしているときでも、スクロール表示を行っているときに利用者が表示切替の操作入力を行ったときには、利用者が最も知りたいと思われる予め設定した情報を直ちに表示することができるという前記の効果に加えて、更に、多くの情報が延々と繰り返しスクロールされることにより、利用者が本当に知りたい情報がなかなか表示されずにいらいらすることが無くなり、利用しやすい装置とすることができるという上記の効果も奏することができる。
【００９０】
また、本発明に係る他のオーディオ情報表示装置は、前記オーディオ情報表示装置を車両に搭載した車両用オーディオ情報表示装置としたので、特に各種機器の搭載スペースの限られている車両においては表示装置部分を大きくとることができないので、真に必要な情報のみを表示する本発明は特に有効に適用することができる。また、機器を利用する人は運転者である場合が多く、所望の情報がなかなか表示されないときには安全運転にも使用をきたすのに対して、この発明によると直ちに知りたい情報を見ることができるようになる点でも特に効果的である。
【図面の簡単な説明】
【図１】本発明の実施例の機能ブロック図である。
【図２】本発明の実施例において、特にトラックアーティストの表示処理部分を主として示す作動フロー図である。
【図３】本発明の実施例において、特にスクロール表示処理部分を主として示す作動フロー図である。
【図４】本発明におけるディスクアーティストとトラックアーティストが同一の時のトラックアーティストを表示しない例を示す表示例であり、（ａ）はディスクに記録されているデータの例を示し、（ｂ）は従来の表示例を示し、（ｃ）は本発明による表示例を示す。
【図５】本発明におけるディスクアーティスト情報がない場合におけるトラックアーティストの表示例を示し、（ａ）はディスクに記録されているデータの例を示し、（ｂ）は本発明による表示例を示す。
【図６】本発明におけるスクロール表示における全ての情報をｎ回連続してスクロール表示したときのスクロール表示例を示し、（ａ）は従来のスクロール表示例を示し、（ｂ）は本発明によるスクロール表示例を示す。
【図７】本発明における利用者がスクロール表示切替キーを操作したときのスクロール表示例を示し、（ａ）は従来のスクロール表示例を示し、（ｂ）は本発明によるスクロール表示例を示す。
【符号の説明】
１  ディスク
６  システムデコーダ
７  情報データ
８  オーディオデータ
１１  システムコントローラ
１２  情報データ読込部
１３  ディスクタイトル
１４  ディスクアーティスト
１５  トラックタイトル
１６  トラックアーティスト
２０  アーティスト情報比較判別部
２１  前トラックアーティスト記憶部
２２  表示用トラックアーティスト出力部
２３  表示情報選択出力部
２４  表示制御部
２５  表示装置
２７  操作信号入力部
２８  スクロール表示切替部
３０  スクロール制御部
３１  スクロール回数検出部
３２  スクロール表示切替キー
【図１】
0003847098.tif 000002
【図２】
0003847098.tif 000003
【図３】
0003847098.tif 000004
【図４】
0003847098.tif 000005
【図５】
0003847098.tif 000006
【図６】
0003847098.tif 000007
【図７】
0003847098.tif 000008